(57)【特許請求の範囲】
【請求項１】
一面に第１及び第２の装着部を有する本体と、
前記本体から画像信号を入力されて表示し、前記第１及び第２装着部に着脱可能なディスプレイ部材と、
前記第１及び第２装着部に、両側面に各々対称に設けられ、回転可能に設けられる第１及び第２の回動ピンと、
前記第１及び第２の回動ピンに対応されるように前記ディスプレイ部材に備えられ、前記ディスプレイ部材と前記本体との結合時前記回動ピンに結合されて共に回転される第１及び第２の固定ブラケットと、
前記ディスプレイ部材に備えられ、前記第１及び第２の固定ブラケットと前記第１及び第２の回動ピンとの結合を維持させる第１及び第２のロッキング手段と、
前記ディスプレイ部材に備えられ、前記第１及び第２の固定ブラケットと前記第１及び第２の回動ピンとの結合を解除させるための第１及び第２の解除手段と、
本体に第１装着部と第２装着部との間に配されて、両側を第１及び第２の回動ピンとに結合されて共に回動され、駆動信号に応じて各々独立的に光を照射するレーザーダイオードアレイを有する発光モジュ−ルと、
装着時前記発光モジュールに向かい合ってロッキングされるように前記ディスプレイ部材に設けられ、受光された入射光を各々独立的に光電変換するフォトダイオードアレイを有し、前記ディスプレイ部材が前記本体に装着されたときに上記発光モジュールと結合される受光モジュールと、
を含み、
上記本体は、前記ディスプレイ部材が装着されたときに閉成されて前記発光モジュールに電力を供給可能させるスイッチを有する構成であり、
前記ディスプレイ部材は前記本体に着脱可能であり、前記ディスプレイ部材が前記本体に装着されると上記受光モジュールが上記発光モジュールと結合され、且つ該発光モジュールは電力を供給されて駆動され、前記ディスプレイ部材が前記本体から分離されると上記受光モジュールが上記発光モジュールから分離され、且つ該発光モジュールは電力の供給を断たれて駆動が停止され、
前記ディスプレイ部材が回動されると、前記第１及び第２の固定ブラケットを介して、前記第１及び第２の回動ピンが回動され、該第１の回動ピンと共に前記発光モジュールが回動され、上記受光モジュールと上記発光モジュールとは結合された状態を維持し、前記本体から前記ディスプレイ部材に光を用いた画像信号の伝送が成されることを特徴とする電子製品のディスプレイ結合構造体。
【請求項２】
前記第１及び第２のロッキング手段は、
前記回動ピンのヘッドに形成されたロッキング溝と、
前記ディスプレイ部材に移動可能に設けられ、装着時前記ロッキング溝へ移動して結合されるロッキング部材と、
前記ロッキング部材を前記ロッキング溝側へ弾性加圧するスプリングとを含むことを特徴とする請求項１に記載の電子製品のディスプレイ結合構造体。
【請求項３】
前記第１及び第２の解除手段は、
前記ディスプレイ部材に形成されたガイドホールと、
一端は前記ロッキング部材に結合されて他端は前記ガイドホ−ルにスライディング可能に設けられる解除レバーとを含むことを特徴とする請求項２に記載の電子製品のディスプレイ結合構造体。
【請求項４】
前記第１及び第２の回動ピンは一部区間が四角の断面状に形成された所定締め付け部を有し、
前記固定ブラケットは前記締め付け部の断面状に対応されて形成された所定締め付け溝を有し、
前記発光モジュールと前記第１及び第２の回動ピンとは、前記第１及び第２の回動ピンの所定締め付け部の向きが上記固定ブラケットの所定締め付け溝に相対的に嵌合可能である向きである場合に、前記発光モジュールと前記受光モジュールとが向かい合うように定めてあり、
前記締め付け部が前記締め付け溝に結合されると、前記発光モジュールが自動的にアライメントされて前記受光モジュールに結合され、
前記締め付け部と前記締め付け溝とに結合された状態で、前記回動ピンと前記固定ブラケットとは共に回転されることを特徴とする請求項１に記載の電子製品のディスプレイ結合構造体。
【発明の詳細な説明】
【０００１】
【発明の属する技術分野】
本発明は電子製品のディスプレイ結合構造体に係り、より詳しくは本体に対してディスプレイを着脱できるように成された電子製品のディスプレイ結合構造体に関する。
【０００２】
【従来の技術】
一般に、ノ−ト型パソコン、ウェブビデオホン、ディジタルビデオカメラのように携帯可能な電子製品はディスプレイ部材を有する。このディスプレイ部材は本体に一体に結合される。図１は従来のディスプレイを有する電子製品の一例のノ−ト型パソコンを示した斜視図である。ノ−ト型パソコンはコンピュ−タシステムを内蔵している本体１と、この本体１からの画像信号に応じて画像を表示するディスプレイ部材３とを備える。
【０００３】
前記本体１には操作命令が入力できるキ−ボ−ド、マウス等の入力装置と、ハ−ドディスクドライブ、ＣＤ−ＲＯＭ、モデム及びＬＡＮカ−ド等の周辺装置及びオ−ディオが提供できる音響装置等が設けられる。前記ディスプレイ部材３は本体から提供された情報を画像形態で出力する出力装置である。このようなディスプレイ部材３は本体１の一側にヒンジ結合される。そして、リボン形ケ−ブル５が本体１とディスプレイ部材３とを電気的に連結させる。
【０００４】
前記のように構成されたノ−ト型パソコンは本体１とディスプレイ部材３との分離が不可能である。一方、ノ−ト型パソコンを使用して見ると、本体又はディスプレイ部材の不良が発生する時がある。又、本体又はディスプレイ部材の寿命が尽きた場合や画面が大きなディスプレイ部材に交替しようとする場合がある。ところで、この場合にはディスプレイ部材を使用者が直接交替できない。又、リボン形ケ−ブルが外部へ露出されて美観上良くない。
【０００５】
【発明が解決しようとする課題】
本発明の目的は本体に対してディスプレイ部材が着脱可能な電子製品のディスプレイ結合構造体を提供することである。
【０００６】
【課題を解決するための手段】
前記目的を達成するための本発明に係るディスプレイ結合構造体は、一面に装着部を有する本体と、前記本体から画像信号を入力されて表示し、前記装着部に着脱可能なディスプレイ部材と、前記装着部に回転可能に設けられる一対の回動ピンと、前記回動ピンに対応されるように前記ディスプレイ部材に備えられ、前記ディスプレイ部材と前記本体の結合時前記回動ピンに結合されて共に回転される一対の固定ブラケットと、前記固定ブラケットと前記回動ピンとの結合を維持させるロッキング手段と、前記固定ブラケットと前記回動ピンとの結合を解除させるための解除手段と、前記回動ピンの中から少なくともいずれか一つに結合されて共に回動され、駆動信号に応じて各々独立的に光を照射するレ−ザ−ダイオ−ドアレイを有する発光モジュ−ルと、装着時前記発光モジュ−ルに向かい合ってロッキングされるように前記ディスプレイ部材に設けられ、受光された入射光を各々独立的に光電変換するフォトダイオ−ドアレイを有する受光モジュ−ルとを含み、
前記ディスプレイ部材は前記本体に着脱可能であり、装着時回動しながら前記本体から前記ディスプレイ部材へ光を用いた画像信号の伝送が成されることを特徴とする。
【０００７】
前記ロッキング手段は、前記回動ピンのヘッドに形成されたロッキング溝と、前記ディスプレイ部材に移動可能に設けられ、装着時前記ロッキング溝へ移動して結合されるロッキング部材と、前記ロッキング部材を前記ロッキング溝側へ弾性加圧するスプリングとを含むことを特徴とする。
【０００８】
前記解除手段は、前記ディスプレイ部材に形成されたガイドホ−ルと、一端は前記ロッキング部材に結合されて他端は前記ガイドホ−ルにスライディング可能に設けられる解除レバ−とを含むことを特徴とする。
【０００９】
前記装着部は前記本体の一面から突設され、前記回動ピンは前記装着部の両側面に各各対称に設けられたことを特徴とする。
【００１０】
前記発光モジュ−ルは前記一対の回動ピンの間に設けられたことを特徴とする。
【００１１】
前記回動ピンは一部区間が四角の断面状に形成された所定締め付け部を有し、前記固定ブラケットは前記締め付け部の断面状に対応されて形成された所定締め付け溝を有し、
前記締め付け部と前記締め付け溝とに結合された状態で、前記回動ピンと前記固定ブラケットとは共に回転されることを特徴とする。
【００１２】
【発明の実施の形態】
以下、添付した図を参照して本発明の望ましい実施例を詳細に説明する。
図２及び図３を参照するに、本発明の実施例によるディスプレイ結合構造体は、装着部１３が備えられた本体１０とディスプレイ部材２０等を備える。
【００１３】
前記装着部１３は入力キ−１１が備えられた本体１０の一面から突設される。一対の回動ピン３０が前記装着部１３の両側に回動可能に設けられる。望ましくは、前記回動ピン３０は本体１０に設けられた支持ブラケット１５に設けられる。又、複数の摩擦部材１７が回動ピン３０と支持ブラケット１５との間に設けられる。この摩擦部材１７は回動ピン３０に摩擦力を提供して回動ピン３０の自由自在な回転を抑制する。
【００１４】
又、前記一対の回動ピン３０の中からいずれか一つは後述する発光モジュ−ル６０と結合される。そして、回動ピン３０の一端は非円形の断面状、例えば四角断面状を有する。この四角断面を有する回動ピン３０の一端は発光モジュ−ル６０に結合される。従って、回動ピン３０と発光モジュ−ル６０とは一体に回動できる。又、回動ピン３０の他端に備えられたヘッド３１にはガイド溝３１ａとロッキング溝３１ｂとが形成される。そして、回動ピン３０は前記ヘッド３１に隣接された部位に四角形の断面状に備えられた締め付け部３３を有する。
【００１５】
前記構成を有する回動ピン３０はディスプレイ部材２０を回動可能に支持する機能と前記発光モジュ−ル６０を支持する機能とを有する。従って、発光モジュ−ル６０又はディスプレイ部材２０を支持するための別途の部品が不要になり、部品数を減らす効果が期待される。
【００１６】
前記ディスプレイ部材２０は前記本体１０から画像信号を伝達されて表示するパネル２１と、このパネル２１を支持するケ−ス２３で構成される。固定ブラケット４０が前記ケ−ス２３の装着部１３の両側に対応される部位に設けられる。この固定ブラケット４０はケ−ス２３内に収容され、ケ−ス２３に形成された貫通ホ−ルＨを通じて外部へ露出される。又、固定ブラケット４０は回動ピン３０側へ折り曲げられて前記貫通ホ−ルＨに対応する端部に形成された締め付け溝４１を有する。この本体１０とディスプレイ部材２０との結合時、締め付け溝４１と前記締め付け部３３とが相対的に結合される。従って、固定ブラケット４０は回動ピン３０と共に回動可能になる。
【００１７】
一方、前記回動ピン３０と固定ブラケット４０との締め付けを維持させるためのロッキング手段及び締め付けを解除させるための解除手段が前記ケ−ス２３内に設けられる。
【００１８】
前記ロッキング手段はロッキング部材５０及びスプリング５５を備える。前記ロッキング部材５０は前記ロッキング溝３１ｂに選択的にロッキング及び解除されるようにケ−ス２３内に移動可能に設けられる。このようなロッキング部材５０は結合孔５１ａを有する胴体５１と、この胴体５１から前記ヘッド３１側へ突出されたロッキング棒５３を有する。このようなロッキング部材５０は第１位置と第２位置との間で移動される。ここで、第１位置はロッキング棒５３とロッキング溝３１ｂとがロッキングされた時のロッキング部材５０の位置であり、第２位置はロッキング棒５３とロッキング溝３１ｂとの結合が分離された時のロッキング部材５０の位置である。前記スプリング５５はケ−ス２３に設けられる。そして、このスプリング５５はロッキング部材５０を前記第１位置へ弾力的に加圧する。従って、前記ロッキング部材５０と回動ピン３０との分離はスプリング５５の力により抑制される。
【００１９】
前記解除手段は前記ケ−ス２３に形成されたガイドホ−ル２３ａと解除レバ−５７とを備える。前記解除レバ−５７はガイドホ−ル２３ａにスライディング可能に設けられる。そして、解除レバ−５７はケ−ス２３のガイドホ−ル２３ａを通じて一部が外部へ露出される。又、この解除レバ−５７は前記結合孔５１ａに挿入着される一対のフック５７ａを有する。従って、使用者は解除レバ−５７を手に掴んで移動させてロッキング部材５０を前記第１位置と第２位置とに移動させ得る。
【００２０】
前記発光モジュ−ル６０は前記回動ピン３０の間に位置するように装着部１３に設けられる。この発光モジュ−ル６０は本体１０とディスプレイ部材２０との結合時、後述する受光モジュ−ル７０と相対的に結合される。図４を参照するに、前記発光モジュ−ル６０は回動ピン３０と装着部１３との各々に支持される。即ち、発光モジュ−ル６０の一側は回動ピン３０に拘束結合され、他側は装着部１３に備えられた軸部１３ａに回転可能に結合される。従って、発光モジュ−ル６０は回動ピン３０と共に回動できる。
【００２１】
又、前記発光モジュ−ル６０は駆動信号に応じて各々独立的に光を照射するレ−ザ−ダイオ−ドアレイ６１と、このレ−ザ−ダイオ−ドアレイ６１を支持して回動ピン３０に結合される第１ホルダ−６３を備える。前記レ−ザ−ダイオ−ドアレイ６１は多数のレ−ザ−ダイオ−ドで構成される。前記レ−ザ−ダイオ−ドアレイ６１は、本体１０にディスプレイ部材２０が装着される時、前記受光モジュ−ル７０及び前記第１ホルダ−６３の各々に備えられた第１電極６５，７５の通電により駆動されて光を照射する。又、レ−ザ−ダイオ−ドアレイ６１は、分離時前記第１ホルダ６３に備えられた第１電極６５と第１スイッチ６６との短絡により駆動が止まる。前記スイッチ６６は補助電源８１とレ−ザ−ダイオ−ドアレイ６１との駆動部８３に電気的に連結される。又、第１ホルダ−６３には装着時本体１０とディスプレイ部材２０との電源連結のための第２電極６７が設けられている。この第２電極６７の一端は装着時又は分離時メイン電源８４に連結された第２スイッチ６８に選択的に接続及び短絡される。そして、第２電極６７の他端は装着時前記受光モジュ−ル７０に設けられた第２電極７７に接続される。
【００２２】
前記受光モジュ−ル７０は装着時レ−ザ−ダイオ−ドアレイ６１から照射された光を受光するフォトダイオ−ドアレイ７１と、このフォトダイオ−ドアレイ７１を支持する第２ホルダ−７３及び前記第２ホルダ−７３を移動可能に収容して前記ケ−ス２３に設けられるハウジング７４を備える。前記フォトダイオ−ドアレイ７１は受光された入射光を各々独立的に光電変換する多数のフォトダイオ−ドで構成される。フォトダイオ−ドアレイ７１は装着時前記レ−ザ−ダイオ−ドアレイ６１と所定間隔を隔てて向かい合う。又、前記ハウジング７４には弾性部材７８と第２電極７７とがさらに設けられる。弾性部材７８はハウジング７４内に設けられ、第２ホルダ−７３を外部へ弾性加圧する。前記第２電極７７はハウジング７４の外側に発光モジュ−ル６０側へ突設される。
【００２３】
前記のような構成を有する本発明の実施例による電子製品のディスプレイ結合構造体の動作を詳細に説明する。
【００２４】
先ず、本体１０にディスプレイ部材２０を装着させるために、図４に示されたような状態で、ディスプレイ部材２０を本体１０に近づける。そうすれば、ロッキング棒５３がガイド溝３１ａに接触されてＡ方向へ押される。そうして、ロッキング棒５３がロッキング溝３１ｂに対面されば、ロッキング棒５３はＢ方向へ位置復元されてロッキング溝３１ｂに結合される。これと同時に固定ブラケット４０の締め付け溝４１は回動ピン３０の締め付け部３３に結合される。又、発光モジュ−ル６０と受光モジュ−ル７０とは各ダイオ−ドアレイ６１，７１が所定間隔を向かい合うように結合される。従って発光モジュ−ル６０と受光モジュ−ル７０とは相互間の光伝送が可能なようにアライメントされる。即ち、装着と同時に各第１電極６５，７５が連結され、第１電極６５はスイッチ６６に連結される。従って、レ−ザ−ダイオ−ドアレイ６１は補助電源８１から電源を供給されて駆動され、光が照射できる。そして、第２電極６７、７７も接続される。従って、本体１０とディスプレイ部材２０との電源が連結されてパネル２１をオンさせる。
【００２５】
このように本体１０に装着されたディスプレイ部材２０は回動ピン３０を軸として本体１０に対して回動可能になる。又、回動ピン３０に共に結合された発光モジュ−ル６０も受光モジュ−ル７０に結合された状態で同時に回動される。そして、各モジュ−ル６０，７０は回動時にも相互間の画像信号の伝送が可能である。
【００２６】
一方、ディスプレイ部材２０を本体１０から分離しようとする場合、解除レバ−５７をＡ方向へ押し出す。そうすれば、ロッキング棒５３がロッキング溝３１ｂから解除される。このように解除レバ−５７をＡ方向側へ押したままディスプレイ部材２０を装着時の反対方向へ本体１０から離隔させる。そうすれば、締め付け溝４１から締め付け部３３が相対的に抜け出て分離され、発光モジュ−ル６０と受光モジュ−ル７０との結合も解除される。そして、ディスプレイ部材２０が本体１０から分離されば、ディスプレイ部材２０のパネル２１はオフされる。又、レ−ザ−ダイオ−ドアレイ６１の駆動も中断される。従って、レ−ザ−ダイオ−ドアレイ６１が外部へオ−プンされた状態では光が照射されることが防止でき、使用者の安全が保障できる。又、本体１０とディスプレイ部材２０との電源が遮断されることにより、電力損失を省ける。
【００２７】
一方、本体１０とディスプレイ部材２０との分離が済んだ状態の時、発光モジュ−ル６０は回動ピン３０と共に所定自体に回動された状態を維持する。従って、ディスプレイ部材２０を再び装着する時、回動ピン３０と発光モジュ−ル６０との角度を一致させる動作が不要になる。即ち、回動ピン３０と発光モジュ−ル６０との回動角度を調節しなくても、固定ブラケット４０と回動ピン３０とが結合される時各光モジュ−ル６０，７０も自動にアライメントされる。
【００２８】
【発明の効果】
以上で説明したような本発明に係る電子製品のディスプレイ結合構造体は、本体に対してディスプレイ部材の着脱が容易である。
【００２９】
従って、解像度がより良いか、或いは画面サイズが大きなディスプレイ部材に交替でき、携帯が簡便である。
【００３０】
又、本体又はディスプレイ部材の中からいずれか一つに不良が発生するか、或いは寿命が尽きた場合、容易につめ替えられる。
【００３１】
又、光を用いて画像信号を伝送することにより電子波発生を減らせる。
【００３２】
又、一つの回動ピンでディスプレイと発光モジュ−ルとを共に回動可能に支持することにより発光モジュ−ルの姿勢調整が容易である。そして、部品を減らせるためコストを低減できるという利点がある。
【図面の簡単な説明】
【図１】一般的なノ−ト型パソコンを示した斜視図である。
【図２】本発明の実施例による電子製品のディスプレイ結合構造体を示した分離斜視図である。
【図３】図２の要部を示した分離斜視図である。
【図４】図２の分離状態を示した部分断面図である。
【符号の説明】
１０    本体
１１    入力キー
１３    装着部
１３ａ  軸部
１５    支持ブラケット
１７    摩擦部材
２０    ディスプレイ部材
２１    パネル
２３    ケ−ス
２３ａ  ガイドホール
３０    回動ピン
３１    ヘッド
３１ａ  ガイド溝
３１ｂ  ロッキング溝
４０    固定ブラケット
４１    締め付け溝
５０    ロッキング部材
５１    胴体
５１ａ  結合孔
５３    ロッキング棒
５５    スプリング
５７    解除レバー
５７ａ  フック
６０    発光モジュ−ル
６１    レーザーダイオードアレイ
６３    第１ホルダー
６５、７５  第１電極
６６    第１スイッチ
６７、７７  第２電極
６８    第２スイッチ
７０    受光モジュ−ル
７１    フォトダイオードアレイ
７３    第２ホルダー
７４    ハウジング
７８    弾性部材
８１    補助電源
８３    駆動部
８４    メイン電源
【図１】
0003613465.tif 000002
【図２】
0003613465.tif 000003
【図３】
0003613465.tif 000004
【図４】
0003613465.tif 000005